(57)【要約】      （修正有）【課題】演出効果の高い、シャンパンタワー用装飾照明装置を提供する。【解決手段】複数のシャンパンタワー用グラスが三段以上のタワー状に積み上げられてなるシャンパンタワー用装飾照明装置であって、長さ方向に配置された１０個以上のＬＥＤチップを有し、テーブルの天板に直立するように配置される柱照明２と、柱照明２が挿通される透光筒３と、柱照明２のＬＥＤチップの点灯パターンを制御する点灯コントローラ９と、を備える。さらに、天板１１および複数本の脚１１ａ〜１１ｄを有し、柱照明２が配置されるテーブルと、長さ方向に配置された１０個以上のＬＥＤチップを有し、一方の端部が柱照明２に近接するように配置された棒状の、複数個の放射照明７ｃ、７ｄと、を備え、天板が透光性の板からなり、複数個の放射照明７ｃ、７ｄが、天板１１の底面側に配置されている。【選択図】図１
0003213886.tif 000002
【実用新案登録請求の範囲】
【請求項１】
複数のシャンパンタワー用グラスが三段以上のタワー状に積み上げられてなるシャンパンタワー用装飾照明装置であって、
長さ方向に配置された１０個以上のＬＥＤチップを有し、テーブルの天板に直立するように配置される柱照明（２）と、
柱照明（２）が挿通される透光筒と、
柱照明のＬＥＤチップの点灯パターンを制御する点灯コントローラ（９）と、を備える装飾照明装置。
【請求項２】
前記点灯コントローラが、前記柱照明（２）のＬＥＤチップを光が上昇するように見えるように点灯させる制御を繰り返して行うことを特徴とする請求項１に記載の装飾照明装置。
【請求項３】
さらに、天板（１１）および複数本の脚（１２）を有し、前記柱照明（２）が配置されるテーブルと、
長さ方向に配置された１０個以上のＬＥＤチップを有し、一方の端部が前記柱照明（２）に近接するように配置された棒状の、複数個の放射照明（７）と、を備え、
前記天板が透光性の板からなり、
前記複数個の放射照明（７）が、前記天板（１１）の底面側に配置されていることを特徴とする請求項２に記載の装飾照明装置。
【請求項４】
前記点灯コントローラが、前記柱照明（２）に光が向かうように、前記放射照明（７）のＬＥＤチップを点灯させる制御を繰り返して行うことを特徴とする請求項３に記載の装飾照明装置。
【請求項５】
さらに、長さ方向に配置された１０個以上のＬＥＤチップを有する棒状の、複数個の脚照明（４）と、を備え、
前記複数個の脚照明（４）が、前記複数本の脚（１２）に配置されていることを特徴とする請求項３または４に記載の装飾照明装置。
【請求項６】
さらに、前記柱照明（２）の正面に、前記柱照明（２）が隠れる高さに積み上げられたシャンパンタワー用グラス（５）を備えることを特徴とする請求項３ないし５のいずれかに記載の装飾照明装置。
【請求項７】
さらに、前記柱照明（２）の上方に配置された円盤照明（８）を備えることを特徴とする請求項６に記載の装飾照明装置。
【請求項８】
前記円盤照明（８）が、コードレス型のＬＥＤコースターであることを特徴とする請求項７に記載の装飾照明装置。
【考案の詳細な説明】
【技術分野】
【０００１】
本考案は、シャンパンタワー用装飾照明装置に関する。
【背景技術】
【０００２】
パーティー等における演出方法として、複数のシャンパンタワー用グラスをタワー状に積み上げてシャンパンタワーを構成することが行われている。シャンパンタワーには、最上段からシャンパン等の飲料が注がれ、参加者に振る舞われることもある。
【０００３】
特許文献１には、容器タワーを取り囲んだ状態でスクリーン体を配置し、複数の映像をスクリーン体上で同時に投影するプロジェクションマッピングを行うパーティー演出方法が開示されている。
【先行技術文献】
【特許文献】
【０００４】
【特許文献１】特開２０１６−１５８９５３号公報
【考案の概要】
【考案が解決しようとする課題】
【０００５】
シャンパンタワーを底面等から照明器具で照らすことで演出効果を高めることが可能であるが、照射範囲が限定されるので演出効果が低いと考えられる。
【０００６】
そこで、本考案は、演出効果の高い、シャンパンタワー用装飾照明装置を提供することを目的とする。
【課題を解決するための手段】
【０００７】
［１］複数のシャンパンタワー用グラスが三段以上のタワー状に積み上げられてなるシャンパンタワー用装飾照明装置であって、
長さ方向に配置された１０個以上のＬＥＤチップを有し、テーブルの天板に直立するように配置される柱照明（２）と、
柱照明（２）が挿通される透光筒と、
柱照明のＬＥＤチップの点灯パターンを制御する点灯コントローラ（９）と、を備える装飾照明装置。
［２］前記点灯コントローラが、前記柱照明（２）のＬＥＤチップを光が上昇するように見えるように点灯させる制御を繰り返して行うことを特徴とする［１］に記載の装飾照明装置。
［３］さらに、天板（１１）および複数本の脚（１２）を有し、前記柱照明（２）が配置されるテーブルと、
長さ方向に配置された１０個以上のＬＥＤチップを有し、一方の端部が前記柱照明（２）に近接するように配置された棒状の、複数個の放射照明（７）と、を備え、
前記天板が透光性の板からなり、
前記複数個の放射照明（７）が、前記天板（１１）の底面側に配置されていることを特徴とする［２］に記載の装飾照明装置。
［４］前記点灯コントローラが、前記柱照明（２）に光が向かうように、前記放射照明（７）のＬＥＤチップを点灯させる制御を繰り返して行うことを特徴とする［３］に記載の装飾照明装置。
［５］さらに、長さ方向に配置された１０個以上のＬＥＤチップを有する棒状の、複数個の脚照明（４）と、を備え、
前記複数個の脚照明（４）が、前記複数本の脚（１２）に配置されていることを特徴とする［３］または［４］に記載の装飾照明装置。
［６］さらに、前記柱照明（２）の正面に、前記柱照明（２）が隠れる高さに積み上げられたシャンパンタワー用グラス（５）を備えることを特徴とする［３］ないし［５］のいずれかに記載の装飾照明装置。
［７］さらに、前記柱照明（２）の上方に配置された円盤照明（８）を備えることを特徴とする［６］に記載の装飾照明装置。
［８］前記円盤照明（８）が、コードレス型のＬＥＤコースターであることを特徴とする［７］に記載の装飾照明装置。
【考案の効果】
【０００８】
本考案によれば、演出効果の高い、シャンパンタワー用装飾照明装置を提供することが可能となる。
【図面の簡単な説明】
【０００９】
【図１】実施形態に係る装飾照明装置の構成図である。
【図２】正面視略三角形に設置したグラスと共に配置した装飾照明装置の構成図である。
【図３】正面視略ハート形に設置したグラスと共に配置した装飾照明装置の構成図である。
【図４】シャンパンタワー用グラスの構成図である。
【図５】点灯コントローラが有する制御部の概略構成図である。
【図６】ＬＥＤ照明の概略構成図である。
【考案を実施するための形態】
【００１０】
実施形態に係る装飾照明装置１は、柱照明２と、脚照明４ａ〜４ｄと、側方照明６ａ〜６ｄと、放射照明７ａ〜７ｃと、円盤照明８と、点灯コントローラ９とを主要な構成とする。
柱照明２は、テーブルの天板１１の中心に透光筒３内で直立するように配置された直径数ｃｍ、長さ数十ｃｍの棒状のＬＥＤ照明である。
【００１１】
透光筒３は、柱照明２と同等以上の長さ且つ柱照明２より大径の筒である。透光筒３は、柱照明２からの射出光を拡散し、太くするよう作用する。柱照明２と透光筒３とは、テープ等の固定具により固定されている。なお、透光筒３は、完全な透明である必要はなく、半透明であってもよいし、着色されたものであってもよい。
脚照明４ａ〜４ｄは、テーブルの脚１２ａ〜１２ｄの長さ方向に沿って配置されたＬＥＤ照明である。テーブルの脚１２は例示の４個に限定されず、３本の場合もあれば５本以上の場合もある。脚照明４も例示の４個に限定されず、設置個数が２個の場合もあれば、５個以上の場合もある。
【００１２】
側方照明６ａ〜６ｄは、天板１１の側面に配置されたＬＥＤ照明である。実施形態では４つの側面の全てに側方照明６を設置したが、正面側だけに側方照明６を配置するようにしてもよいし、天板１１の側面でなく上面の外縁近傍に設置するようにしてもよい。
放射照明７ａ〜７ｄは、天板１１の背面に、柱照明２から外部に放射状に向かうように配置されたＬＥＤ照明である。天板１１は、透光性の板により構成されているため、放射照明７ａ〜７ｄからの出射光は天板１１を透過する。
【００１３】
円盤照明８は、後述するグラス５のフットよりも一回り大きい円盤形のＬＥＤ照明である。円盤照明８は、電池が内蔵されているため、コードレスである。円盤照明８は、ＬＥＤチップが内蔵されており、少なくとも側周面が光るＬＥＤコースターにより構成することができる。載置面（上面）が光るＬＥＤコースターを採用すると、載置されたグラス５が照らされることになるので好ましい。
点灯コントローラ９は、各ＬＥＤ照明（２，４，６，７）の点灯パターンを制御する。点灯コントローラ９は、各ＬＥＤ照明の個々のＬＥＤチップの点灯を制御する制御部９１を備えている（図５参照）。なお、各図においては、各ＬＥＤ照明（２，４，６，７）と点灯コントローラ９とを接続する信号線および各ＬＥＤ照明（２，４，６，７）と電源コンセントとを接続する電源ケーブルは、図示省略している。
各ＬＥＤ照明（２，４，６，７，８）の発光色は、任意の色（例えば、レッド、グリーン、ブルー、ホワイト、ゴールド）を選ぶことができる。
【００１４】
各ＬＥＤ照明（２，４，６，７）は、１０個〜百数十個（好ましくは２０個〜百数十個、より好ましくは３０個〜百数十個、）のＬＥＤチップ（Ｌ１〜Ｌｎ）をそれぞれ備えている。図６に示すように、ＬＥＤチップ（Ｌ１〜Ｌｎ）は基板２１の長さ方向の中心線に沿って略等間隔に配置されている。基板２１は透明のチューブ２２内に着脱自在に挿通されている。
実施形態に係る各ＬＥＤ照明（２，４，６，７）は約８０ｃｍの長さであり、略等間隔に配置された７２個のＬＥＤチップをそれぞれ備えている。ＬＥＤ照明（２，４，６，７）は、ＬＥＤスノーフォール（またはＬＥＤスノードロップ）と呼称される商品を使用することができる。実施形態では、透光筒３として長さ８４ｃｍ、直径１０ｃｍの透明のアクリルパイプを使用した。
【００１５】
図２は、正面視略三角形に設置したグラス５と共に配置した装飾照明装置１の構成図である。図２は、グラス５を正面視三角形となるように積み上げて構成した９段のタワー（以下、「シャンパンタワー」という。）である。シャンパンタワーの中心に、柱照明２が位置するようにグラス５は配置されている。シャンパンタワーは、例示の９段に限定されず、例えば、３〜２０段または５〜２５段のタワーとすることができる。シャンパンタワーを構成する各グラス５は、他のグラス５と固定されていないため、手に取って内容物を飲むことが可能である。
【００１６】
図４に示すように、グラス５はリム、ボウル、ステム及びフットを有している。グラス５は例示の形状に限定されず、リム、ボウル、ステム及びフットを有するあらゆるグラスを用いることができ、例えばワイングラスはもちろんカクテルグラスやウォーターゴブレットも含まれる。すなわち、本明細書でいうシャンパンタワー用グラスとは、リム、ボウル、ステム及びフットを有するグラスのことをいうものとする。
シャンパンタワーを構成する各グラス５には、液体を注ぐことができる。注がれる液体はシャンパン、ワイン等の他のアルコール飲料はもちろん、あらゆる飲料を注ぐことでき、また飲料以外の装飾性の高い液体（例えば、発光液）を注ぐこともできる。
【００１７】
最上段のグラス５のフットは、円盤照明８の上面に載置されている。この円盤照明８に向かって流星が流れるかの如く、柱照明２が有するＬＥＤチップが下方から上方に順次点灯していく点灯パターンが繰り返される。たとえるなら、天に向かって花火が打ち上げられるかの如く、或いは、シャンパンタワーの先端（または円盤照明８）が銃口であり、銃口に向かってエネルギーが充填されるような印象を看者に与えるともいえる。別の観点からは、低い地位から高い地位に登り上がった印象を看者に与えるともいえる。
また、点灯コントローラ９は、柱照明２に光が向かうように、放射照明７ａ〜７ｄのＬＥＤチップを外側から内側に順次点灯させる制御を繰り返して行う。かかる点灯制御により柱照明２にエネルギーが充填されるような印象や高い地位に登り上がった印象を強めることが可能になると考えられる（換言すれば、ホストクラブでの利用に好適である。）。
点灯コントローラ９は、脚照明４ａ〜４ｄおよび側方照明６ａ〜６ｄについても、一方向にＬＥＤチップを順次点灯させる制御を繰り返して行う。
【００１８】
図３は、正面視略ハート形に設置したグラス５と共に配置した装飾照明装置１の構成図である。図３では、中央が８段、左右が９段となるようにグラス５が配置されている。
左右最上段（９段目）に位置するグラス５のうち中心に位置するグラス５のフットは、円盤照明８の上面に載置されている。また、中央の最上段（８段目）に位置するグラス５のフットは、円盤照明８の上面に載置されている。図３のシャンパンタワーにおいても、柱照明２が有するＬＥＤチップが下方から上方に順次点灯していく点灯パターンが繰り返される。グラス５にワイン等の赤色またはピンク色の飲料を注ぐと、赤色またはピンク色のハート形が現れ、更に演出効果を高めることができる。
【００１９】
以上に説明した実施形態の装飾照明装置１によれば、最上段またはその近傍のグラス５まで照明光が到達するので、シャンパンタワーの演出効果を飛躍的に高めることが可能である。また、柱照明２のＬＥＤチップが下方から上方に順次点灯していく点灯パターンが繰り返されるので、打ち上げ花火を見ているかのような演出を実現することができる。
また、グラス５が相互に固定されておらず、またグラス５の取り出しを阻害するような部材も存在しないため、容易にグラス５を手に取って内容物を飲むことが可能である。また、グラス５の開口を塞ぐような部材は存在しないため、シャンパンタワーに飲料等を注ぐことも容易である。更には、柱照明２と透光筒３とは電気的な接合部を有していないため、シャンパンタワーに飲料等を注いだ際にショートが生じるおそれもない。
【００２０】
以上、本開示にて幾つかの実施形態を単に例示として詳細に説明したが、本発明の新規な教示及び有利な効果から実質的に逸脱せずに、その実施の形態には多くの改変例が可能である。
例えば、図２に例示される正面視三角形のシャンパンタワーを２つまたは３つ並べて配置すること、複数個の脚照明および複数個の側方照明が配置されたテーブルの下に複数個の脚照明および複数個の側方照明が配置されたテーブルを更に設置することが開示される。
【符号の説明】
【００２１】
１  装飾照明装置
２  柱照明
３  透光筒
４  脚照明
５  （シャンパンタワー用）グラス
６  側方照明
７  放射照明
８  円盤照明
９  点灯コントローラ
１１  （テーブルの）天板
１２  （テーブルの）脚
２１  基板
２２  チューブ
Ｌ  ＬＥＤチップ
【図１】
0003213886.tif 000003
【図２】
0003213886.tif 000004
【図３】
0003213886.tif 000005
【図４】
0003213886.tif 000006
【図５】
0003213886.tif 000007
【図６】
0003213886.tif 000008